(57)【要約】      （修正有）【課題】筐体に高密度に積み重ねて配置することができる光ファイバ収容トレイを提供する。【解決手段】光アダプタ２５を保持する光アダプタ保持部６０と、光アダプタ保持部６０が取り付けられるトレイ本体２０とを有する光ファイバ収容トレイ１２であって、光アダプタ保持部６０は、光アダプタ２５が間に嵌め込まれることで光アダプタ２５を保持する一対の壁部６１と、一対の壁部６１を連結する連結部６２とを備え、トレイ本体２０には、嵌合部２１が形成され、連結部６２を嵌合部２１に嵌合させることで光アダプタ保持部６０をトレイ本体２０に取り付けることを特徴とする光ファイバ収容トレイ１２である。【選択図】図４
2019211699.tif 000002
【特許請求の範囲】
【請求項１】
光アダプタを保持する光アダプタ保持部と、前記光アダプタ保持部が取り付けられるトレイ本体とを有する光ファイバ収容トレイであって、
前記光アダプタ保持部は、前記光アダプタが間に嵌め込まれることで前記光アダプタを保持する一対の壁部と、前記一対の壁部を連結する連結部とを備え、
前記トレイ本体には、嵌合部が形成され、前記連結部を前記嵌合部に嵌合させることで前記光アダプタ保持部を前記トレイ本体に取り付ける
ことを特徴とする光ファイバ収容トレイ。
【請求項２】
請求項１に記載の光ファイバ収容トレイであって、
前記光アダプタ保持部が取り付けられる前記トレイ本体上の設置面に接触する取り付け面を、前記壁部が備える
ことを特徴とする光ファイバ収容トレイ。
【請求項３】
請求項２に記載の光ファイバ収容トレイであって、
前記連結部は、前記設置面に対して前記壁部とは反対側に突出している
ことを特徴とする光ファイバ収容トレイ。
【請求項４】
請求項２又は３に記載の光ファイバ収容トレイであって、
前記設置面に平行であり、かつ前記一対の壁部を連結する方向と交差する方向において、
前記連結部の幅は、前記壁部の周縁部における前記連結部が連結する辺の長さより小さい
ことを特徴とする光ファイバ収容トレイ。
【請求項５】
請求項１〜４のいずれかに記載の光ファイバ収容トレイであって、
前記光アダプタ保持部は、光を透過する材料で形成されている
ことを特徴とする光ファイバ収容トレイ。
【請求項６】
請求項５に記載の光ファイバ収容トレイであって、
前記連結部は、前記光アダプタ保持部で保持される前記光アダプタで接続されるフェルールの突き当て面の直下に設けられる
ことを特徴とする光ファイバ収容トレイ。
【請求項７】
複数の光ファイバ収容トレイが配列される光配線ユニットであって、
前記光ファイバ収容トレイは、光アダプタを保持する光アダプタ保持部と、前記光アダプタ保持部が取り付けられるトレイ本体とを有し、
前記光アダプタ保持部は、前記光アダプタが間に嵌め込まれることで前記光アダプタを保持する一対の壁部と、前記一対の壁部を連結する連結部とを備え、
前記トレイ本体には、嵌合部が形成され、前記連結部を前記嵌合部に嵌合させることで前記光アダプタ保持部を前記トレイ本体に取り付ける
ことを特徴とする光配線ユニット。
【請求項８】
光ファイバ収容トレイのトレイ本体に取り付けられる光アダプタ保持部であって、
光アダプタが間に嵌め込まれることで前記光アダプタを保持する一対の壁部と、
前記一対の壁部を連結し、前記トレイ本体に形成された嵌合部に嵌合する連結部と
を有する
ことを特徴とする光アダプタ保持部。
【発明の詳細な説明】
【技術分野】
【０００１】
本発明は、光ファイバ収容トレイ、光配線ユニット及び光アダプタ保持部に関する。
【背景技術】
【０００２】
光接続箱や光配線箱等を構成する光配線ユニットとして、複数の光ファイバ収容トレイを筐体内に挿入して収容するものが知られている。このような光配線ユニットに関して、例えば、特許文献１には、光ファイバ収容トレイの本体上で光アダプタを保持するための光アダプタ保持部（図２に示すアダプタ収納部３）が開示されている。特許文献１に記載されている光アダプタ保持部は、一定のピッチで配列された複数の壁（図２に示す垂直壁４）と、壁の下部で複数の壁同士を連結する連結部とで構成されている。そして、連結部を光ファイバ収容トレイの底板上に固定することで、光アダプタ保持部が光ファイバ収容トレイに取り付けられる。
【先行技術文献】
【特許文献】
【０００３】
【特許文献１】特開２０１０−２６６７２６号公報
【発明の概要】
【発明が解決しようとする課題】
【０００４】
光配線ユニットにおいては、光ファイバ収容トレイを筐体に多段に積み重ねて配置することがある。このとき、特許文献１に記載されているような光配線ユニットでは、光アダプタ保持部の連結部の厚みを確保する必要があるため、光アダプタ保持部の高さ（光ファイバ収容トレイを積み重ねる方向の長さ）を抑制することには限界があった。このため、光ファイバ収容トレイ全体の高さを抑制することにも限界があり、光ファイバ収容トレイを筐体に高密度に配置することができなかった。
【０００５】
本発明は、筐体に高密度に積み重ねて配置することができる光ファイバ収容トレイを提供することを目的とする。
【課題を解決するための手段】
【０００６】
本発明の幾つかの実施形態は、光アダプタを保持する光アダプタ保持部と、前記光アダプタ保持部が取り付けられるトレイ本体とを有する光ファイバ収容トレイであって、前記光アダプタ保持部は、前記光アダプタが間に嵌め込まれることで前記光アダプタを保持する一対の壁部と、前記一対の壁部を連結する連結部とを備え、前記トレイ本体には、嵌合部が形成され、前記連結部を前記嵌合部に嵌合させることで前記光アダプタ保持部を前記トレイ本体に取り付けることを特徴とする光ファイバ収容トレイである。
【０００７】
本発明の他の特徴については、後述する明細書及び図面の記載により明らかにする。
【発明の効果】
【０００８】
本発明の幾つかの実施形態によれば、光ファイバ収容トレイを筐体に高密度に積み重ねて配置することができる。
【図面の簡単な説明】
【０００９】
【図１】図１は、本実施形態の光配線ユニット１０を前側から見た斜視図である。
【図２】図２は、本実施形態の光配線ユニット１０を後側から見た斜視図である。
【図３】図３Ａは、本実施形態の光ファイバ収容トレイ１２を上側から見た斜視図である。図３Ｂは、本実施形態の光ファイバ収容トレイ１２を下側から見た斜視図である。
【図４】図４は、本実施形態の光ファイバ収容トレイ１２の分解斜視図である。
【図５】図５Ａは、本実施形態の光アダプタ保持部６０の平面図である。図５Ｂは、本実施形態の光アダプタ保持部６０の正面図である。
【図６】図６Ａは、本実施形態の光アダプタ保持部６０が光ファイバ収容トレイ１２のトレイ本体２０に取り付けられる様子を示す図である。図６Ｂは、比較例の光アダプタ保持部６０が光ファイバ収容トレイ１２のトレイ本体２０に取り付けられる様子を示す図である。
【図７】図７は、光ファイバ収容トレイ１２のトレイ本体２０に取り付けられた状態の光アダプタ保持部６０の断面を示す図である。
【発明を実施するための形態】
【００１０】
後述する明細書及び図面の記載から、少なくとも以下の事項が明らかとなる。
【００１１】
光アダプタを保持する光アダプタ保持部と、前記光アダプタ保持部が取り付けられるトレイ本体とを有する光ファイバ収容トレイであって、前記光アダプタ保持部は、前記光アダプタが間に嵌め込まれることで前記光アダプタを保持する一対の壁部と、前記一対の壁部を連結する連結部とを備え、前記トレイ本体には、嵌合部が形成され、前記連結部を前記嵌合部に嵌合させることで前記光アダプタ保持部を前記トレイ本体に取り付けることを特徴とする光ファイバ収容トレイが明らかとなる。このような光ファイバ収容トレイによれば、光ファイバ収容トレイを筐体に高密度に積み重ねて配置することができる。
【００１２】
前記光アダプタ保持部が取り付けられる前記トレイ本体上の設置面に接触する取り付け面を、前記壁部が備えることが望ましい。これにより、光ファイバ収容トレイを筐体に高密度に積み重ねて配置することができる。
【００１３】
前記連結部は、前記設置面に対して前記壁部とは反対側に突出していることが望ましい。これにより、光アダプタ保持部の連結部を光ファイバ収容トレイの嵌合部に嵌合させることができる。
【００１４】
前記設置面に平行であり、かつ前記一対の壁部を連結する方向と交差する方向において、前記連結部の幅は、前記壁部の周縁部における前記連結部が連結する辺の長さより小さいことが望ましい。これにより、光アダプタ保持部の連結部を光ファイバ収容トレイの嵌合部に嵌合させると共に、光アダプタ保持部全体を光ファイバ収容トレイのトレイ本体に固定することができる。
【００１５】
前記光アダプタ保持部は、光を透過する材料で形成されていることが望ましい。これにより、光アダプタ保持部で接続される光コネクタの接続状態を視認することができる。
【００１６】
前記連結部は、前記光アダプタ保持部で保持される前記光アダプタで接続されるフェルールの突き当て面の直下に設けられることが望ましい。これにより、光アダプタ保持部で接続される光コネクタの接続状態を視認することができる。
【００１７】
複数の光ファイバ収容トレイが配列される光配線ユニットであって、前記光ファイバ収容トレイは、光アダプタを保持する光アダプタ保持部と、前記光アダプタ保持部が取り付けられるトレイ本体とを有し、前記光アダプタ保持部は、前記光アダプタが間に嵌め込まれることで前記光アダプタを保持する一対の壁部と、前記一対の壁部を連結する連結部とを備え、前記トレイ本体には、嵌合部が形成され、前記連結部を前記嵌合部に嵌合させることで前記光アダプタ保持部を前記トレイ本体に取り付けることを特徴とする光配線ユニットが明らかとなる。このような光配線ユニットによれば、光ファイバ収容トレイを筐体に高密度に積み重ねて配置することができる。
【００１８】
光ファイバ収容トレイのトレイ本体に取り付けられる光アダプタ保持部であって、光アダプタが間に嵌め込まれることで前記光アダプタを保持する一対の壁部と、前記一対の壁部を連結し、前記トレイ本体に形成された嵌合部に嵌合する連結部とを有することを特徴とする光アダプタ保持部が明らかとなる。このような光アダプタ保持部によれば、光ファイバ収容トレイを筐体に高密度に積み重ねて配置することができる。
【００１９】
＝＝＝本実施形態＝＝＝
＜光配線ユニット１０の全体構成＞
図１は、本実施形態の光配線ユニット１０を前側から見た斜視図である。図２は、本実施形態の光配線ユニット１０を後側から見た斜視図である。なお、図１及び図２では、筐体１１の上板と、光ファイバ収容トレイ１２の蓋部とが取り外された状態の光配線ユニット１０を図示している。
【００２０】
以下の説明では、図に示すように各方向を定義する。すなわち、光配線ユニット１０の筐体１１に対して光ファイバ収容トレイ１２をスライドさせる方向を「前後方向」とし、光ファイバ収容トレイ１２を引き出す側を「前」とし、逆側（光ファイバ収容トレイ１２を押し込む側）を「後」とする。なお、前後方向のことを「引き出し方向」又は「押し込み方向」と呼ぶことがある。また、光配線ユニット１０の前側の面を「正面」、光配線ユニット１０の後側の面を「背面」と呼ぶことがある。また、複数の光ファイバ収容トレイ１２が積み重なる方向を「上下方向」とし、トレイ本体２０の底板から見て押さえ部７０の側を「上」とし、逆側を「下」とする。また、「前後方向」及び「上下方向」と直交する方向を「左右方向」とし、前から後を見た時の右側を「右」とし、逆側を「左」とする。
【００２１】
光配線ユニット１０は、複数心を有する光ファイバケーブルを単心毎の光ファイバケーブルに分岐すると共に、分岐された単心の光ファイバケーブルの各端部が光配線ユニット１０の外部の機器と接続可能に成端された装置である。光配線ユニット１０は、光接続箱と呼ぶことがある。さらに、光配線ユニット１０は、光成端箱又は光配線箱と呼ぶこともある。図１及び図２に示すように、本実施形態の光配線ユニット１０では、複数心を有する光ファイバケーブル部分から単心毎の光ファイバケーブル部分にあらかじめ分岐された光ファイバケーブル１が光ファイバ収容トレイ１２（後述）に収容されている。本実施形態では、光ファイバケーブル１として、ファンアウトコード（ファンアウトケーブル）が使用される。但し、光ファイバケーブル１として、ファンアウトコードが使用されなくても良い。例えば、光配線ユニット１０内に分岐部が設けられ、分岐部において複数心を有する光ファイバケーブルと、単心の各光ファイバケーブルとが接続されても良い。
【００２２】
光配線ユニット１０は、筐体１１と、複数の光ファイバ収容トレイ１２とを有する。
【００２３】
筐体１１は、複数の光ファイバ収容トレイ１２を収容する部材である。また、筐体１１は、不図示のラックに取り付けられることで、光配線ユニット１０をラックに固定する部材でもある。筐体１１の正面が開口していることにより、光ファイバ収容トレイ１２を筐体１１に対して前側に引き出すことができる。
【００２４】
光ファイバ収容トレイ１２は、光ファイバケーブル１を収容する部材である。図１及び図２に示すように、本実施形態の光ファイバ収容トレイ１２は、板状に形成されている。本実施形態の光配線ユニット１０では、複数（ここでは、３個）の光ファイバ収容トレイ１２が上下方向に積み重ねられている。但し、本実施形態の光配線ユニット１０において光ファイバ収容トレイ１２が積み重ねられる方向や数はこの限りではない。
【００２５】
また、光ファイバ収容トレイ１２には光ファイバケーブル１が収容されている。光ファイバ収容トレイ１２の前側にはトレイ本体側光アダプタ２５が設けられ、光ファイバ収容トレイ１２の後側にはプレート側光アダプタ３５が設けられている。前述した光ファイバケーブル１の複数心側の端部がプレート側光アダプタ３５に接続可能であり、分岐された後の単心側の端部がトレイ本体側光アダプタ２５に接続可能となっている。光ファイバケーブル１の両端部には不図示の光コネクタプラグが設けられており、プレート側光アダプタ３５及びトレイ本体側光アダプタ２５にそれぞれの光コネクタプラグが挿入されることでプレート側光アダプタ３５及びトレイ本体側光アダプタ２５に接続可能となる。なお、光ファイバケーブル１の両端部に光コネクタプラグと、それぞれが接続する光アダプタが設けられるのではなく、光コネクタレセプタクルが設けられても良い。また、トレイ本体側光アダプタ２５は、光アダプタ保持部６０を介してトレイ本体２０に取り付けられ、上側から押さえ部７０により押さえられている。光ファイバ収容トレイ１２には、光ファイバケーブル１以外の部品が収容されても良い。
【００２６】
なお、図１及び図２では、一部の光ファイバケーブル１（ここでは、２組）のみ光ファイバ収容トレイ１２に収容されている様子を図示している。実際には、複数（ここでは、４個）のプレート側光アダプタ３５に接続される分だけ光ファイバケーブル１を光ファイバ収容トレイ１２に収容することができる。また、図１及び図２においては、光ファイバケーブル１とプレート側光アダプタ３５及びトレイ本体側光アダプタ２５との接続箇所の図示を省略している。
【００２７】
本実施形態の光配線ユニット１０は、光ファイバ収容トレイ１２を前後方向に移動可能にするスライドレール８１（図１及び図２では不図示、後述する図３Ｂを参照）を有する。スライドレール８１は、固定側レールと可動側レールとを有する。例えば、スライドレール８１の固定側レールが筐体１１に取り付けられ、スライドレール８１の可動側レールが光ファイバ収容トレイ１２に取り付けられている。可動側レールが固定側レールに対して前後方向に移動することで、光ファイバ収容トレイ１２が筐体１１に対して前後方向に移動することができる。すなわち、光ファイバ収容トレイ１２が筐体１１に対してスライド可能となる。なお、スライドレール８１は、光ファイバ収容トレイ１２の左右に一対ずつ設けられている。但し、スライドレール８１は、設けられなくても良い。
【００２８】
また、本実施形態の光配線ユニット１０は、光ファイバ収容トレイ１２を筐体１１に対して取り外し可能にする連結機構８２（図１及び図２では不図示、後述する図３Ｂを参照）を有する。連結機構８２は、光ファイバ収容トレイ１２とスライドレール８１との間に設けられている。連結機構８２が光ファイバ収容トレイ１２側部分とスライドレール８１側部分に分離することで、光ファイバ収容トレイ１２を筐体１１から容易に取り外すことができる。なお、連結機構８２は、光ファイバ収容トレイ１２の左右に一対ずつ設けられている。但し、連結機構８２は、設けられなくても良い。
【００２９】
＜光アダプタ保持部６０＞
図３Ａは、本実施形態の光ファイバ収容トレイ１２を上側から見た斜視図である。図３Ｂは、本実施形態の光ファイバ収容トレイ１２を下側から見た斜視図である。図４は、本実施形態の光ファイバ収容トレイ１２の分解斜視図である。なお、図３Ａ〜図４では、蓋部及び押さえ部７０が取り外された状態の光ファイバ収容トレイ１２を図示している。
【００３０】
光アダプタ保持部６０は、トレイ本体側光アダプタ２５を保持すると共に、トレイ本体側光アダプタ２５をトレイ本体２０に固定する部材である。図３Ａ及び図４に示すように、本実施形態の光ファイバ収容トレイ１２では、光アダプタ保持部６０は、複数（ここでは、６個）のトレイ本体側光アダプタ２５が左右に配列されるように保持している。そして、本実施形態の光ファイバ収容トレイ１２では、これら複数のトレイ本体側光アダプタ２５を保持する光アダプタ保持部６０が、トレイ本体２０上に左右に複数（ここでは、２個）配列されている。
【００３１】
図３Ｂ及び図４に示すように、トレイ本体２０には、窓部２１が形成されている。窓部２１は、トレイ本体２０の底板に形成された貫通孔（開口）である。本実施形態の光ファイバ収容トレイ１２では、窓部２１に光アダプタ保持部６０の一部（後述する連結部６２）が嵌合している。このように窓部２１に連結部６２が嵌合することによって、トレイ本体２０に光アダプタ保持部６０が取り付けられる。なお、窓部２１は、連結部６２が嵌合できる形状であれば貫通孔（開口）に限られず、例えば凹部であっても良い。このため、窓部２１のことを、「嵌合部２１」と呼ぶことがある。
【００３２】
図５Ａは、本実施形態の光アダプタ保持部６０の平面図である。図５Ｂは、本実施形態の光アダプタ保持部６０の正面図である。なお、図５Ａ及び図５Ｂの左側の図は、トレイ本体側光アダプタ２５を保持した状態の光アダプタ保持部６０を図示し、図５Ａ及び図５Ｂの右側の図は、トレイ本体側光アダプタ２５を取り外した状態の光アダプタ保持部６０を図示している。また、図５Ａ及び図５Ｂでは、トレイ本体２０の底面上の左側に配列された６個のトレイ本体側光アダプタ２５（図３Ａ参照）を保持する光アダプタ保持部６０を図示している。下記の説明は、トレイ本体２０の底面上の右側に配列された６個のトレイ本体側光アダプタ２５（図３Ａ参照）を保持する光アダプタ保持部６０についても同様である。
【００３３】
光アダプタ保持部６０は、壁部６１と、連結部６２とを有する。
【００３４】
壁部６１は、トレイ本体側光アダプタ２５を保持する部位である。壁部６１は、連結部６２の上部に立設された板状の部位である。図５Ａ及び図５Ｂに示すように、光アダプタ保持部６０は、複数の壁部６１を有している。一対の壁部６１の間の空間が、トレイ本体側光アダプタ２５を保持する部位となる。具体的には、トレイ本体側光アダプタ２５は、一対の壁部６１の間に嵌め込まれることで保持される。
【００３５】
なお、光アダプタ保持部６０の両端部に位置する壁部６１は、両端部に位置する壁部６１以外の壁部６１とは形状が異なっている。これは、光アダプタ保持部６０をトレイ本体２０に固定するためのねじ穴等が設けられる為である。光アダプタ保持部６０の全ての壁部６１が同じ形状であっても良い。また、壁部６１にはトレイ本体側光アダプタ２５に設けられた耳部２７が係合する溝部６４が形成されている。溝部６４にトレイ本体側光アダプタ２５の耳部２７が係合することにより、トレイ本体側光アダプタ２５に前後方向の力が加えられてもトレイ本体側光アダプタ２５が動いてしまうことを抑制することができる。
【００３６】
壁部６１は、取り付け面６３を有する。取り付け面６３は、光アダプタ保持部６０が取り付けられるトレイ本体２０の底面上の設置面２６に接触する面である。図５Ｂに示すように、本実施形態では、トレイ本体２０の底面上の光アダプタ保持部６０の高さは、壁部６１の高さと同一となる。
【００３７】
連結部６２は、複数の壁部６１を連結する部位である。連結部６２は、複数の壁部６１の下部に設けられた板状の部位である。連結部６２が複数の壁部６１を連結することで、図５Ａ及び図５Ｂに示すように、壁部６１を上部に立設させるようにして支持することができる。図５Ｂに示すように、本実施形態では、連結部６２は、トレイ本体２０の設置面２６に対して下側に突出している。言い換えれば、トレイ本体２０の設置面２６に対して壁部６１とは反対側に突出している。これにより、連結部６２を光ファイバ収容トレイ１２の嵌合部２１に嵌合させることができる。
【００３８】
図５Ａに示すように、前後方向（設置面２６に平行であり、かつ壁部６１を連結する方向と交差する方向）において、連結部６２の幅は、壁部６１の下辺の長さより小さくなるように形成されている。これにより、壁部６１の下辺において、連結部６２によって連結されていない部分が取り付け面６３となる。したがって、光アダプタ保持部６０の連結部６２を光ファイバ収容トレイ１２の嵌合部２１に嵌合させると共に、光アダプタ保持部６０全体を光ファイバ収容トレイ１２のトレイ本体２０に固定することができる。
【００３９】
図６Ａは、本実施形態の光アダプタ保持部６０が光ファイバ収容トレイ１２のトレイ本体２０に取り付けられる様子を示す図である。図６Ｂは、比較例の光アダプタ保持部６０が光ファイバ収容トレイ１２のトレイ本体２０に取り付けられる様子を示す図である。なお、図６Ａ及び図６Ｂにおいて、壁部６１の高さをＨ１、連結部６２の高さ（厚さ）をＨ２としている。
【００４０】
図６Ａに示すように、本実施形態の光アダプタ保持部６０では、連結部６２が壁部６１の下部に突出するように設けられている。そして、突出した連結部６２が、トレイ本体２０の窓部２１に嵌合することで、トレイ本体２０に光アダプタ保持部６０が取り付けられる。したがって、トレイ本体２０の底板の上側には壁部６１部分のみが載置されることになる。このため、トレイ本体２０の底板の上側に突出している高さは、Ｈ１となる。すなわち、窓部２１に嵌合した連結部６２のＨ２の分だけトレイ本体２０の底板の上側に突出している高さを抑えることができる。したがって、本実施形態では、光ファイバ収容トレイ１２を筐体１１に高密度に積み重ねて配置することができる。
【００４１】
図６Ｂに示すように、比較例の光アダプタ保持部６０では、連結部６２が壁部６１の下部と一体化しており、壁部６１の下部に突出するように設けられていない。このため、連結部６２は、トレイ本体２０の窓部２１に嵌合せず、窓部２１に跨るようにしてトレイ本体２０の底板の上側に載置される。したがって、トレイ本体２０の底板の上側には壁部６１と連結部６２とが載置されることになる。このため、トレイ本体２０の底板の上側に突出している高さは、Ｈ１＋Ｈ２となる。すなわち、本実施形態と比較すると、連結部６２のＨ２の分だけトレイ本体２０の底板の上側に突出している高さが高くなってしまう。
【００４２】
図７は、光ファイバ収容トレイ１２のトレイ本体２０に取り付けられた状態の光アダプタ保持部６０の断面を示す図である。図７では、光アダプタ保持部６０で保持されたトレイ本体側光アダプタ２５において接続された光コネクタ９０Ａ及び光コネクタ９０Ｂも図示している。但し、光コネクタ９０Ａ及び光コネクタ９０Ｂのフェルール９１Ａ及び９１Ｂのみ実線で示し、その他は破線で示している。
【００４３】
本実施形態では、光アダプタ保持部６０は、光を透過する材料で形成されることがある。また、図７に示すように、連結部６２は、光アダプタ保持部６０で保持されるトレイ本体側光アダプタ２５で接続されるフェルール９１Ａ・９１Ｂの突き当て面の直下に設けられる。すなわち、トレイ本体２０の窓部２１も、光アダプタ保持部６０で保持されるトレイ本体側光アダプタ２５で接続されるフェルール９１Ａ・９１Ｂの突き当て面の直下に設けられる。これにより、光アダプタ保持部６０で接続される光コネクタ９０Ａ・９０Ｂのフェルール９１Ａ・９１Ｂの突き当て面から漏れ出た光Ｌを、光アダプタ保持部６０を透過してトレイ本体２０の窓部２１を介して外部から確認することができる。すなわち、光アダプタ保持部６０で接続される光コネクタ９０Ａ・９０Ｂの接続状態を視認することができる。
【００４４】
なお、前述した図１及び図２に示すように、押さえ部７０にも窓部７１が形成されている。押さえ部７０の窓部７１についても同様に、図７に示すように、光アダプタ保持部６０で保持されるトレイ本体側光アダプタ２５で接続されるフェルール９１Ａ・９１Ｂの突き当て面の直上に設けられる。これにより、光アダプタ保持部６０で接続される光コネクタ９０Ａ・９０Ｂのフェルール９１Ａ・９１Ｂの突き当て面から漏れ出た光Ｌを、光アダプタ保持部６０を透過してト押さえ部７０の窓部７１を介して外部から確認することができる。すなわち、光アダプタ保持部６０で接続される光コネクタ９０Ａ・９０Ｂの接続状態を視認することができる。
【００４５】
＝＝＝その他＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００４６】
１  光ファイバケーブル、１０  光配線ユニット、
１１  筐体、１２  光ファイバ収容トレイ、２０  トレイ本体、
２１  窓部（嵌合部）、２５  トレイ本体側光アダプタ（第１光コネクタ接続部）、
２６  設置面、２７  耳部、３０  プレート、
３５  プレート側光アダプタ（第２光コネクタ接続部）、
３６  プレート固定用ねじ、４０  保持部、６０  光アダプタ保持部、
６１  壁部、６２  連結部、６３  取り付け面、６４  溝部、
７０  押さえ部、７１  窓部、
８１  スライドレール、８２  連結機構、
９０Ａ・９０Ｂ  光コネクタ、９１Ａ・９１Ｂ  フェルール
【図１】
2019211699.tif 000003
【図２】
2019211699.tif 000004
【図３】
2019211699.tif 000005
【図４】
2019211699.tif 000006
【図５】
2019211699.tif 000007
【図６】
2019211699.tif 000008
【図７】
2019211699.tif 000009